(57)【要約】【課題】  本発明は、他の道具を用いることなく、紙片収納体の２枚のシートを開放状態とし、書類等の紙片を挿入することを容易とすることを目的とする。【解決手段】  可撓性の第１シートと、前記第１シートと略同形の第２シートを有するクリアホルダなどの紙片収納体であって、第1シートにシート保持部と係止部を有し、シート保持部は、係止部に係止されることにより、第1シートを開いた状態で保持するものであることを特徴とする紙片収納体。【選択図】  図4
2020026130.tif 000002
【特許請求の範囲】
【請求項１】
可撓性で略矩形の４辺を有する第１シートと、前記第１シートと略同形の対応する４辺を有する第２シートを有し、前記第１シートと前記第２シートとは対応する第１辺が折曲して形成され、あるいは接合により形成されており、前記第１辺と隣接する対応する第２辺同士が接合されてなる紙片収納体であって、前記第１シートにおいて、前記第１辺と前記第１辺に対向する第３辺との距離について３等分したときの中央領域であって、前記第２辺と前記第２辺と対向する第４辺との距離について２等分したときの前記第４辺の側の領域に、細長い切断部あるいは開口部からなるシート保持部を有し、前記第３辺に、前記シート保持部に係止する係止部を有することを特徴とする紙片収納体。
【請求項２】
前記シート保持部は、前記第４辺に対して右回り０度から７０度の角度で傾斜したものであることを特徴とする請求項１に記載の紙片収納体。
【発明の詳細な説明】
【技術分野】
【０００１】
本発明は、可撓性で略矩形の４辺を有する第１シートと、前記第１シートと略同形の対応する４辺を有する第２シートを有する紙片収納体であって、二つのシートの間に書類等の複数の紙片等の挟み込みの操作を容易とする紙片収納体に関する。
【背景技術】
【０００２】
片麻痺は、一側性にみられる上下肢の運動麻痺であって、筋力低下にとどまる場合もあるが、しびれ、無感覚など、自分で動かすことができなくなってしまう。したがって、日常生活で、手で操作する行為は、片手で行うこととなる。
従来、片麻痺の人の日常生活を補助する道具は、種々検討されインスリン注入補助具なども検討されている（例えば、特許文献1）。
【０００３】
一方、書類などの紙片を挿入して収納し、あるいは、携帯して使用するプラスチック製のシート（多くは収納した紙片が視認できる透明または半透明）を２枚重ね、隣合う２つの辺が開放状態であるもの（いわゆるクリアホルダ）が、市販されている。クリアホルダは、対象とする紙片より僅かに大きくされている（通常、ＪＩＳ規格サイズのＡ４、Ｂ５などの書類を挟み込む対象とした寸法を有している。（特許文献２）
【先行技術文献】
【特許文献】
【０００４】
【特許文献１】特開２００７−１４６１５
【特許文献２】特開２０１８−５８３３５
【発明の概要】
【発明が解決しようとする課題】
【０００５】
従来、片麻痺の人が、書類などの紙片を綴じ込む等を行う際、前記紙片がバラバラになってしまい、前記紙片を揃えて押さえながら、ステープラを操作することは、容易でなく、別の錘を用いて押さえなければならなかった。その場合でも、紙片の端を揃えて綴じることは、困難であった。
また、手先が器用に使えず、また力も弱い幼児、児童なども、紙片の端を揃えて綴じることが容易ではなかった。
【０００６】
本発明は、他の道具を用いることなく、紙片収納体の２枚のシートを開放状態とし、書類等の紙片を挿入することを容易とすることを目的とする。
【課題を解決するための手段】
【０００７】
このような目的は、下記（5）〜(８)の本発明により、達成される。
【０００８】
（１）  可撓性で略矩形の４辺を有する第１シートと、前記第１シートと略同形の対応する４辺を有する第２シートを有し、前記第１シートと前記第２シートとは対応する第１辺が折曲により形成され、あるいは接合により形成されており、前記第１辺と隣接する対応する第２辺同士が接合されてなる紙片収納体であって、前記第１シートおよび前記第２シートは、前記第１辺から５mmを越え５ｃｍ以内に、紙片面が露出する対応する欠損部を有し、前記欠損部は、前記第１辺の端部に設けられているか、前記第１辺の中心から等距離の２点を含む２カ所に設けられているか、または前記第１の辺の中心を中心として幅８ｃｍから１５ｃｍにわたって設けられていることを特徴とする紙片収納体。
【０００９】
（２）  前記欠損部が、前記第１シートおよび前記第２シートに設けられた穴であるか、または、前記第１シートおよび前記第２シートの前記第１辺に設けられた切欠きであることを特徴とする前記（１）に記載の紙片収納体。
【００１０】
（３）  前記第１シートにおいて、前記第１辺と前記第１辺に対向する第３辺との距離について３等分したときの中央領域であって、前記第２辺と前記第２辺と対向する第４辺との距離について２等分したときの前記第４辺の側の領域に細長い切断部あるいは開口部からなるシート保持部を有し、前記第３辺に、前記シート保持部に係止する係止部を有することを特徴とする前記（１）または（2）に記載の紙片収納体。
【００１１】
（４）  前記シート保持部は、前記第４の辺に対して右回り０度から７０度の角度で傾斜したものであることを特徴とする前記（３）に記載の紙片収納体。
【００１２】
（５）  可撓性で略矩形の４辺を有する第１シートと、前記第１シートと略同形の対応する４辺を有する第２シートを有し、前記第１シートと前記第２シートとは対応する第１辺が折曲して形成され、あるいは接合により形成されており、前記第１辺と隣接する対応する第２辺同士が接合されてなる紙片収納体であって、前記第１シートにおいて、前記第１辺と前記第１辺に対向する第３辺との距離について３等分したときの中央領域であって、前記第２辺と前記第２辺と対向する第４辺との距離について２等分したときの前記第４辺の側の領域に、細長い切断部あるいは開口部からなるシート保持部を有し、前記第３辺に、前記シート保持部に係止する係止部を有することを特徴とする紙片収納体。
【００１３】
（６）  前記シート保持部は、前記第４辺に対して右回り０度から７０度の角度で傾斜したものであることを特徴とする前記（５）に記載の紙片収納体。
【００１４】
（７）  前記第１シートおよび前記第２シートは、前記第１辺から５mmを越え５ｃｍ以内に、紙片面が露出する対応する欠損部を有し、前記欠損部は、前記第１辺の端部に設けられているか、前記第１辺の中点から等距離の２点を含む２カ所に設けられているか、または前記第１辺の中点を中心として幅８ｃｍから１５ｃｍにわたって設けられていることを特徴とする前記（５）または（６）に記載の紙片収納体。
【００１５】
（８）  前記欠損部が、前記第１シートおよび前記第２シートに設けられた穴であるか、または、前記第１シートおよび前記第２シートの前記第１の辺に設けられた切欠きであることを特徴とする前記（７）に記載の紙片収納体。
【発明の効果】
【００１６】
前記（１）〜（４）、（７）、（８）の本発明は、前記構成により、紙片を挿入する際、書類等の紙片の綴じようとする端を前記第１辺側に容易に配置し、書類等の紙片の最前面である最初の紙片の表面と最後面である最後の紙片の裏面をクリアホルダ等の紙片収納体から露出させることができ、片麻痺の症状を有する人や幼児・児童であっても、書類等の複数の紙片等を容易に揃えることができ、紙片を押さえていなくても、ステープラによる綴じ込みや、打ち抜き器により穴開けなどの操作を容易とする紙片収納体を提供することができる。
また、前記（２）、（８）の本発明は、書類等の紙片を一層容易に揃えることができ、書類等の紙片の前記表裏面の露出が一層容易になり、また、ステープラや打ち抜き器の紙片への接近及び位置決めを、一層容易となる。
また、前記（３）、（４）、（５）、（６）の本発明は、さらに、他の道具を用いることなく、紙片収納体の２枚のシートを開放状態とすることができるので、書類等の紙片を挿入することが一層容易とすることができる。
【図面の簡単な説明】
【００１７】
【図１】本発明の紙片収納体の第１実施形態を示す平面図である。
【図２】第１実施形態における第１シートと第２シートの間に紙片を挿入した状態を示す平面図である。
【図３】第１実施形態における紙片挿入体に紙片を挿入した後、ステープラにて紙片を綴じた後の状態を示す平面図および、紙片挿入体から取り出した綴じられた書類を示す平面図である。
【図４】第１実施形態におけるシート保持部に係止部を係止した状態を示す平面図である。
【図５】本発明の紙片収納体の第２実施形態を示す平面図である。
【発明を実施するための形態】
【００１８】
本発明は、前記のとおりの特徴を有するものであるが、以下、本発明の紙片収納体を添付図面に示すクリアホルダの実施例を用いて詳細に説明する。
【００１９】
図１は、本発明の第１実施形態を示すクリアホルダ１の平面図である。図２は、第１実施形態における第１シート６と第２シート７の間に紙片（書類）３０を挿入した状態を示す平面図である。図１に示すクリアホルダ１と共通する部分については、同じ符号を付している。
クリアホルダ１は、ＪＩＳ規格Ａ４の書類を収納するのに適した寸法を有し、ＪＩＳ規格Ａ４寸法よりも長辺で１３ｍｍ長く、短辺で９ｍｍ長く設定されている。そして、可撓性で略矩形の４辺を有する第１シート６と第１シート６と略同形の対応する４辺を有する第２シート７を有する。第１シート６と第２シート７は、１枚のシートを二つに折りにされたものである。前記第１シート６と前記第２シート７は、別のシートを重ね合わせ、対応する一つの辺を融着、接着、物理的な係合などにより接合され、クリアホルダ１の第１辺２としてもよい。
前記第１辺２と隣り合う２辺の一方の辺である第１シート６と第２シート７のそれぞれの第２辺３は、融着により互いに接合されてなるシート接合部８を有する。シート接合部８は、融着の他、接着、物理的な係合などにより互いに接合されてもよい。シート接合部８は、前記第１シート６と前記第２シート７の端面であってもよいし、前記端面近傍のシート面部であってもよく、前記第１シート６と前記第２シート７のそれぞれの第２辺３が閉鎖状態となればよい。
前記第１シート６および前記第２シート７の前記第１辺２と対向してなる第３辺４、並びに前記第１シートおよび前記第２シートの前記第２辺３と対向してなる第４辺５は、互いに接合されておらず、前記第１シート６と前記第２シート７の間に書類を挟み込むことができる。
【００２０】
前記クリアホルダ１は、通常、書類を挟み込んで使用するので、その大きさは、ＪＩＳ規格Ａ列やＢ列の大きさを有する書類より、各辺において５〜１５ｍｍ大きい。最も多く用いられているのは、ＪＩＳＡ４サイズ、ＪＩＳＢ５サイズの書類を挟み込んで収納するタイプである。
また、前記クリアホルダ１の前記第１シートは、可撓性を有すればよく、透明でも不透明でも良いが、透明あるいは半透明であれば、収納された書類が視認できるので、好ましい。また、書類の周縁部が視認できれば、書類の位置が確認できるので、書類の周縁部が確認できる位置が透明または半透明であってもよい。前記第１シートの厚さは、書類が収納できれば、薄いほど良いが、取り扱いを容易とする程度の強度が必要である。シートの素材にもよるが、０．０５〜０．５ｍｍが好ましい。シートの素材は、ポリエチレン、ポリプロピレン、ポリエステル、あるいは、それらにエラストマが配合されたものが好ましい。
【００２１】
前記第２シート７は、可撓性を有していても、有していなくてもよく、また、不透明でもよい。その素材は、前記第１シート６と同一でもよく、異なっていてもよい。同一であれば、製造が容易となり、好ましい。また、前記第２シート７が、硬質の素材であれば、前記強度を得るために、厚さを薄くすることができ、その結果、クリアホルダ１全体の厚さを薄くすることができるので、好ましい。
【００２２】
前記クリアホルダ１の第１辺２から５ｍｍを越え５ｃｍ以内には、前記第１シート６および前記第２シート７を貫通する欠損部（１１，１２，１３）を有する。欠損部１１は、第１辺２から２０ｍｍ、第４辺５から２０ｍｍを中心とした半径１５ｍｍの円形状に、前記第１シート６および前記第２シート７を貫通している。また、欠損部（１２、１３）は、前記第１辺２の中点を中心として前記第４辺５側および前記第２辺３側へそれぞれ５ｃｍ、前記第１辺から２０ｍｍ離れた地点を中心として、長辺（前記第１辺２と平行な方向）３０ｍｍ、短辺（前記第１辺２と直角の方向）１５ｍｍの長方形形状に、前記第１シート６および前記第２シート７を貫通している。欠損部（１１，１２，１３）は、１カ所でも複数箇所でもよい。好ましくは、前記第１辺の端部近傍（欠損部１１）に設けることが好ましい。第１辺の端部近傍に欠損部があれば、書類の角をステープラなどで綴じることができる。また、前記第１辺２の中心から等距離の２点を含む２カ所に設けられている（欠損部１２、１３）か、または前記第１辺の中心を中心として幅８ｃｍから１５ｃｍにわたって設けられている（図示せず）ことが好ましい。上記の配置であれば、書類を中心から２カ所で綴じることができ、あるいは書類の中心から２カ所にバインダなどに保存するための穴を開けることができる。
【００２３】
本発明の欠損部は、前記クリアホルダ１の第１辺２から５ｍｍを越え５ｃｍ以内で、前記第１シート６および前記第２シート７を貫通していればよく、欠損部（１１，１２，１３）の如く、第１辺２が保持され、周縁がシートにより囲まれた穴形状だけでなく、第１辺２が切り欠かれ、欠損部が開放した状態の全体として切欠きを形成するものでもよい。
前記欠損部は、前記クリアホルダ１の第１辺２から５ｍｍを越え５ｃｍ以内であるので、少なくとも前記第１辺２から５ｍｍを越え５ｃｍ以内に、クリアホルダ１に挟み込んだ書類が露出し、書類をクリアホルダ１の第１辺２まで挟み込むことで、ステープラ等による綴じ込みのための綴じ代や打ち抜き器による打ち抜きのための打ち抜き代を確保することができる。
欠損部の形状は、円形、楕円形、長方形、正方形など、ステープラや打ち抜き器の使用に適した形状とすることができる。
【００２４】
上記の構成により、使用者は、本発明のクリアホルダ１を机上に配置し、片手でクリアホルダ１の第１シートと第２シートの間に隙間を作り、書類を差し込んだ後、クリアホルダ１の所定の位置まで書類を移動させることができる。書類を所定の位置に配置した後、机の端部から欠損部をはみ出させることにより、ステープラにより書類を表裏から挟み込むことができるので、片手で容易に書類を揃えて綴じることができる。
また、書類が挿入されたクリアホルダ１を打ち抜き器にそのまま配置し、打ち抜き器を片手で操作することで、容易に揃えた状態の書類に穴を開けることができる。
さらに、幼児や児童などの、ステープラや打ち抜き器の操作に不慣れな、あるいは力の弱い人でも、書類を揃えた状態で綴じ込んだり、穴を開けたりすることができる。
【００２５】
図３は、第１実施形態のクリアホルダ１に紙片３０を挿入した後、ステープラにて紙片３０を綴じた後の状態を示す平面図および、クリアホルダ１から取り出した綴じられた書類（紙片）３０を示す平面図である。
図４は、第１実施形態におけるシート保持部に係止部を係止した状態を示す平面図である。
図３には、書類３０の欠損部（１１，１２，１３）に露出した部分に、ステープラにて打ち込まれたステープル針４０が示されている。書類３０は、書類が複数枚であってもクリアホルダ１により揃えられているので、使用者は、ステープラを欠損部（１１，１２，１３）に合わせて操作するだけで、端部が揃えられた状態で書類を綴じることができる。紙片の打ち抜き器を用いて穴開けする場合も、書類３０が挟み込まれたクリアホルダ１を打ち抜き器に合わせて操作するだけで、穴の開いた揃えられた書類を作ることができる。
【００２６】
本発明は、シート保持部２２と係止部２１を設けることができる。前記シート保持部２２は、前記第１シート６において、前記第１辺２と前記３辺４との距離について３等分したときの中央領域（図４における点線Ｍと点線Ｌの間の領域）であって、前記第２辺３と前記第４辺５との距離について２等分したときの前記第４辺５の側の領域（図４において、点線Ｎよりも上の領域）に、前記第４辺に対して右回りに６０度傾斜した細長い開口部からなる。前記シート保持部２２は、細長い開口部に限らず、第１シート６に形成された切断部であってもよい。また、前記右回り角度は、０度から７０度が好ましい。０度から７０度であれば、係止部２１を設計するのが容易である。前記シート保持部２２の傾斜は、前記シート保持部２２の前記第４辺に対する最短点と最長点を結んだ直線の傾斜とする（図１、点線Kの傾斜）。
【００２７】
また、前記係止部２１は、前記第１シート６の前記第３辺４に形成され、前記シート保持部２２に係止するものである。前記係止部２１は、前記第３辺４の第４辺５側９分の１の部分に設けられ、前記第３辺４に対して右回り１４０度に形成された幅３ｍｍ、中心長さ１２ｍｍの切欠きである。前記係止部２１は、前記第３辺４の第４辺５側５分の１以内の部分に形成されてなることが好ましい。また、前記係止部２１は前記第３辺に形成された切欠きであって、前記第３辺に対して右回り１２０度から１７０度の間で形成されていることが好ましい。この範囲であれば、係止部２１を設計することが容易である。
また、係止部２１周辺に別部材を貼付するなどして、剛性を高くすることにより、係止機能を向上させることができる。
図４に示すように、前記シート保持部２２と前記係止部２１は、シート保持部２２に係止部２１が係止することによって、第１シート６の開放辺である第３辺４と第４辺５で、クリアホルダ１を開いた状態に保持するものである。
【００２８】
本発明のシート保持部および係止部を有することにより、使用者は、まず、係止部をシール保持部へ係止することにより、第１シートを開いた状態に保持させておき、次に、書類を第１シートと第２シートの間へ挿入し、挟み込むことが、片手で容易に行うことができる。次に、係止部をシート保持部から解除し、挟み込んだ書類をクリアホルダの所定のところまでしっかり挿入することも、片手で行うことができる。さらに、書類が挿入されたクリアホルダを、机などの端に、はみ出させて配置することで、ステープラで書類を表裏両面から挟むことができるので、片手しか使えなくても、書類の綴じ込みを容易に行うことができる。
また、本発明のシート保持部および係止部を有するクリアホルダなどの紙片収納体は、欠損部を有さないものであっても、片麻痺を有する人が、クリアホルダの本来の用途で使用する場合であっても、クリアホルダに書類を挟み込む作業が特段に容易とすることができる。
【００２９】
（第２実施形態）
図５を用いて、本発明の紙片収納体のクリアホルダの第２実施形態について説明する。本実施形態に係るクリアホルダ１００は、前述の第１実施形態と基本的な構成は同一であるが、特に、欠損部（１１１，１１２、１１３）の構成において相違点を有する。
本実施形態の特徴的な構成は、前記欠損部（１１１、１１２、１１３）が、前記第１シートおよび前記第２シートの前記第１辺に設けられた切欠きとなっていることである。
【００３０】
第１シート１０６と第２シート１０７は、１枚のシートを二つ折りにされ形成されている。クリアホルダ１００の第１シート１０６と第２シート１０７において、第１辺１０２には、第４辺１０５側端部に欠損部１０１として、半径３ｃｍの円弧状の周縁形状を有する切欠きが形成されている。さらに、欠損部（１１２、１１３）として、第１シート１０６と第２シート１０７において、前記第１辺１０２の中点から、前記第４辺１０５側および前記第２辺３側へそれぞれ３５ｍｍから６５ｍｍまで、前記第１辺１０２から４０ｍｍの領域を切り取った切欠きが形成されている。
前記切欠きは、前記第１シート１０６および前記第２シート１０７の、前記第１辺１０２から５mmを越え５ｃｍ以内に、書類などの紙片の表裏、すなわち最表面の紙片の表面および最後面の紙片の裏面を露出させるものであり、前記第１辺の中点を中心として幅８ｃｍから１５ｃｍの長さにわたって設けられていてもよい。
上記切欠きは、紙片を挿入する際、第１実施形態の欠損部（１１，１２，１３）の前記第１辺側の前記第１シート６および前記第２シート７の断端と挿入された紙片の端面が干渉する可能性がなく、綴じようとする紙片の端を前記第１辺側に容易に配置することができる。また、ステープラや打ち抜き器の紙片への接近及び位置決め容易となる。
【００３１】
以上説明した通り、本発明によれば、片麻痺の症状を有する人や幼児・児童であっても、書類等の複数の紙片等を容易に揃えることができ、紙片を押さえていなくても、ステープラによる綴じ込みや、打ち抜き器により穴開けなどの操作を容易とする紙片収納体を提供することができる。
また、紙片を挿入する際、紙片の綴じようとする端を前記第１辺側に容易に配置することができ、また、ステープラや打ち抜き器の紙片への接近及び位置決め一層容易となる。
また、他の道具を用いることなく、紙片収納体の２枚のシートを開放状態とすることができるので、書類等の紙片を挿入することが一層容易とすることができる。
【００３２】
なお、本発明は、以上説明した実施例に限定されることなく、本発明を逸脱しない範囲において、種々の変更が可能である。
【符号の説明】
【００３３】
１、  １０１         クリアホルダ
２、１０２          第１辺
３              第２辺
４              第３辺
５、１０５          第４辺
６、１０６          第１シート
７、１０７          第２シート
８              シート接合部
１１、１２、１３、１１１、１１２、１１３           欠損部
２１             係止部
２２             シート保持部
３０             紙片（書類）
４０             ステープル針
【図１】
2020026130.tif 000003
【図２】
2020026130.tif 000004
【図３】
2020026130.tif 000005
【図４】
2020026130.tif 000006
【図５】
2020026130.tif 000007
【手続補正書】
【提出日】平成31年4月1日(2019.4.1)
【手続補正１】
【補正対象書類名】明細書
【補正対象項目名】００１３
【補正方法】変更
【補正の内容】
【００１３】
（６）  前記シート保持部は、細長い切断部および細長い開口部のいずれか一つであり、前記第4辺に対する最短点と最長点を結んだ直線の傾斜が、前記第４辺に対して右回り０度から７０度の角度で傾斜したものであることを特徴とする前記（5）に記載の紙片収納体。
【手続補正２】
【補正対象書類名】特許請求の範囲
【補正対象項目名】全文
【補正方法】変更
【補正の内容】
【特許請求の範囲】
【請求項１】
可撓性で略矩形の４辺を有する第１シートと、前記第１シートと略同形の対応する４辺を有する第２シートを有し、前記第１シートと前記第２シートとは対応する第１辺が折曲して形成され、あるいは接合により形成されており、前記第１辺と隣接する対応する第２辺同士が接合されてなる紙片収納体であって、前記第１シートにおいて、前記第１辺と前記第１辺に対向する第３辺との距離について３等分したときの中央領域であって、前記第２辺と前記第２辺と対向する第４辺との距離について２等分したときの前記第４辺の側の領域に、細長い切断部あるいは開口部からなるシート保持部を有し、前記第３辺に、前記シート保持部に係止する係止部を有することを特徴とする紙片収納体。
【請求項２】
前記シート保持部は、細長い切断部および細長い開口部のいずれか一つであり、前記第4辺に対する最短点と最長点を結んだ直線の傾斜が、前記第４辺に対して右回り０度から７０度の角度で傾斜したものであることを特徴とする請求項１に記載の紙片収納体。